(57)【要約】【課題】非遊技時において、投入口内部や投入口付近に異物やゴミが付着することを防止できる遊技機を提供する。【解決手段】本発明の遊技機は、メダル、コインなどの遊技媒体を投入可能な投入口２３が設けられた筐体を有している。前記筐体には、少なくとも投入口２３を覆うことが可能なカバー体５０が設けられており、非遊技時等において、投入口２３の内部にゴミ、異物等が入り込むことを防止する。【選択図】    図２
2007222377.tif 000002
【特許請求の範囲】
【請求項１】
遊技媒体を投入可能な投入口が設けられた筐体を有する遊技機において、
前記筐体は、少なくとも前記投入口を覆うことが可能なカバー体を有することを特徴とする遊技機。
【請求項２】
前記カバー体は、前記投入口の周辺領域を覆う大きさを有することを特徴とする請求項１に記載の遊技機。
【請求項３】
前記カバー体は、前記筐体内に収納可能であることを特徴とする請求項１又は２に記載の遊技機。
【請求項４】
遊技媒体を投入可能な投入口が設けられた筐体を有する遊技機において、
前記筐体の投入口近傍に、少なくとも前記投入口を覆うカバー体が着脱可能な着脱部を設けたことを特徴とする遊技機。
【請求項５】
遊技機の筐体に設けられた遊技媒体の投入口領域に着脱可能であり、
少なくとも前記投入口を覆うカバー部を備えた本体と、
前記本体に設けられ、前記カバー部を、少なくとも前記投入口を覆った状態で前記筐体に固定可能にする固定手段と、
を有することを特徴とする投入口用カバー体。
【請求項６】
前記カバー部は、前記投入口の周辺領域を覆う大きさを有することを特徴とする請求項５に記載の投入口用カバー体。
【請求項７】
前記固定手段は、前記筐体の投入口領域に設けられた凹凸に対して係止可能な係止部を有することを特徴とする請求項５又は６に記載の投入口用カバー体。
【請求項８】
前記固定手段は、前記投入口に差込み可能な差込み片を有することを特徴とする請求項６又は７に記載の投入口用カバー体。
【発明の詳細な説明】
【技術分野】
【０００１】
本発明は、メダルやコインのような遊技媒体を利用して遊技を行なう遊技機に関し、詳細には、前記遊技媒体が投入される投入口の内部を保護する遊技機、及び遊技機に設置される投入口を覆う投入口用カバー体に関する。
【背景技術】
【０００２】
通常、上記したような遊技媒体（以下、「メダル」と称する）を投入することで遊技が開始される遊技機（例えば、スロットマシン、ルーレットゲーム装置、プッシャーゲーム装置等）には、メダルが投入される投入口が設けられている。通常、投入口は、例えば、特許文献１に見られるように、遊技機の筐体に露出した状態で設けられており、投入口の内部には、投入されたメダルの真偽を判別するメダルセレクタが設置されている。
【０００３】
前記投入口は、メダルの直径に対応してスリット状に開口することで構成されており、機種によっては、メダルの投入動作が行い易いように、投入口の近傍に、メダルを投入口に向けて案内する案内面を設けたものも知られている。例えば、前記特許文献１に開示されている投入口は、後方側に向かって上昇する略半円状の案内部の最上部に形成されており、メダルを重ねた状態で案内部に起立させ、背面壁に向けて押し上げ操作することで、連続的に投入できるよう構成されている。
【特許文献１】特開２００４−１６６８２１号
【発明の開示】
【発明が解決しようとする課題】
【０００４】
上記した一般的な遊技機は、非遊技時において、投入口への異物やゴミの侵入に対する対策が何等施されていないため、投入口付近（例えば上記した案内面）、及び投入口の内部に設置されているメダルセレクタを汚損してしまう原因となっている。
【０００５】
本発明は、上記した問題に基づいてなされたものであり、非遊技時において、投入口内部や投入口付近に異物やゴミが付着することを防止できる遊技機、及び投入口用カバー体を提供することを目的とする。
【課題を解決するための手段】
【０００６】
上記した目的を達成するために、請求項１に係る遊技機は、遊技媒体を投入可能な投入口が設けられた筐体を有しており、前記筐体は、少なくとも前記投入口を覆うことが可能なカバー体を有することを特徴とする。
【０００７】
上記した構成の遊技機では、筐体に、少なくとも投入口を覆うことが可能なカバー体が設けられているため、例えば、非遊技時において、カバー体によって投入口を覆うことができ、これにより、投入口内部へのゴミや異物等の侵入が防止されて、メダルセレクタを汚損等することが防止される。この場合、カバー体は、筐体に対して、例えば、回動可能に支持して投入口を覆うように設けたり、スライド可能に支持して投入口を覆うように設けることが可能である。
【０００８】
また、請求項２に係る遊技機では、前記カバー体は、前記投入口の周辺領域を覆う大きさを有することを特徴とする。
【０００９】
このような構成の遊技機では、投入口のみならず、その周辺領域、例えば、メダルを投入口に向けて案内する案内部の領域を覆うことが可能となり、その周辺領域の汚損や異物等の付着を防止できる。従って、実際の使用時において、周辺領域に溜まった異物等がメダルに付着して、メダルと共にそのまま投入口の内部に侵入することを防止することができる。
【００１０】
また、請求項３に係る遊技機では、前記カバー体は、前記筐体内に収納可能であることを特徴とする。
【００１１】
このような構成の遊技機では、例えば、遊技時では、カバー体を筐体内に収容して外部に露出しないようにすることができ、違和感等を与えることなく、通常の遊技機の外観とすることができる。
【００１２】
また、上記した目的を達成するために、請求項４に係る遊技機は、遊技媒体を投入可能な投入口が設けられた筐体を有しており、前記筐体の投入口近傍に、少なくとも前記投入口を覆うカバー体が着脱可能な着脱部を設けたことを特徴とする。
【００１３】
上記した構成の遊技機では、例えば、非遊技時において、作業者がカバー体を着脱部に取り付けることで投入口を覆うことができ、これにより、投入口内部へのゴミや異物等の侵入が防止されて、メダルセレクタを汚損等することが防止される。この場合、カバー体には、前記着脱部に係止される係止部が設けられており、投入口領域に装着した際に固定状態となり、位置が移動したり、落下等することはない。
【００１４】
また、上記した目的を達成するために、請求項５に係る投入口用カバー体は、遊技機の筐体に設けられた遊技媒体の投入口領域に着脱可能であり、少なくとも前記投入口を覆うカバー部を備えた本体と、前記本体に設けられ、前記カバー部を、少なくとも前記投入口を覆った状態で前記筐体に固定可能にする固定手段とを有することを特徴とする。
【００１５】
上記した構成の投入口用カバー体は、本体を固定手段によって投入口領域に着脱可能であり、投入口領域に装着すると、カバー部が少なくとも投入口を覆うようになっている。このため、例えば、非遊技時において、本体のカバー部が投入口を覆うことができ、これにより、投入口内部へのゴミや異物等の侵入が防止されて、メダルセレクタを汚損等することが防止される。
【００１６】
また、請求項６に係る投入口用カバー体は、前記カバー部が、前記投入口の周辺領域を覆う大きさを有することを特徴とする。
【００１７】
このような構成の投入口用カバー体は、投入口のみならず、その周辺領域、例えば、メダルを投入口に向けて案内する案内部の領域を覆うことが可能となり、その周辺領域の汚損や異物等の付着を防止できる。従って、実際の使用時において、周辺領域に溜まった異物等がメダルに付着して、メダルと共にそのまま投入口の内部に侵入することを防止することができる。
【００１８】
また、請求項７に係る投入口用カバー体は、前記固定手段は、前記筐体の投入口領域に設けられた凹凸に対して係止可能な係止部を有することを特徴とする。
【００１９】
このような構成では、投入口用カバー体は、係止部を、投入口領域に設けられている凹凸に係止することで固定された状態になるため、着脱操作が容易に行なえると共に、確実に固定状態を維持することが可能となる。この場合、投入口領域に設けられている凹凸は、例えば、メダルを案内する傾斜面、メダルを当て付ける背面壁、筐体表面に形成される凸部や凹所、隣接設置される返却用のボタン等が該当し、係止部は、これらの外形状に応じた凹凸、孔部等によって構成される。
【００２０】
また、請求項８に係る投入口用カバー体は、前記固定手段は、前記投入口に差込み可能な差込み片を有することを特徴とする。
【００２１】
このような構成では、投入口に差込み片を挿入するだけで、カバー部が投入口部分を覆うため、汎用性が広がり、様々な遊技機に設けられている投入口に設置することが可能となる。
【発明の効果】
【００２２】
本発明によれば、非遊技時において、メダルが投入される投入口内部や投入口付近に異物やゴミが付着することを防止できる遊技機、及び投入口用カバー体が得られる。
【発明を実施するための最良の形態】
【００２３】
本発明に係る遊技機は、メダルやコインのような遊技媒体（以下、メダル）を利用して遊技を行なう各種の遊技機、例えば、スロットマシン、ルーレットゲーム装置、プッシャーゲーム装置等が該当し、遊技機には、遊技を行なうためにメダルを遊技機内に取り込むための遊技媒体用の投入口（以下、投入口）が組み込まれている。
【００２４】
以下、本発明に係る遊技機の実施形態について、スロットマシンを例示して具体的に説明する。
【００２５】
図１に示すように、スロットマシン１は、遊技を実行するための遊技装置（リールユニット）、遊技媒体としてのメダルを払い出すメダル払出装置、及びリールユニットでの遊技動作を制御する制御基板等を収容した本体３と、この本体３に対してヒンジ機構を介して横方向に回動して開閉される前面扉（筐体）５とを備えている。前記前面扉５には、リールユニットの各回転リールを視認させるリール表示窓７ａ，７ｂ，７ｃを有する表示領域７が設けられている。この表示領域７には、例えば、各種の遊技情報を静止画情報、動画情報として表示する画像表示部（例えば液晶ディスプレイ、プラズマディスプレイ、ＣＲＴディスプレイ、ドットマトリクス表示機等）が配設されており、前記リールユニットの各回転リールの表面を、前記リール表示窓７ａ，７ｂ，７ｃを介して透過表示させるようになっている。なお、画像表示部は、回転リールから離れた位置に設置されたものであっても良いし、そのような画像表示部を備えない構成であっても良い。
【００２６】
前記前面扉５の表示領域７の下方側には、台座９が形成されており、ここにベットボタン１０ａ、マックスベットボタン１０ｂ、スタートレバー１２、３個のストップボタン１３ａ，１３ｂ，１３ｃ等の各種操作部材が配設されている。
【００２７】
さらに、スタートレバー１２の下方に位置する前面扉５には、腰部パネル１５が開閉可能に取り付けられており、腰部パネル１５の下方に位置する前面扉５には、本体３内に設置されたメダル払出装置から払出しされるメダルを排出するメダル払出口１６に臨むようにしてメダル受皿１７が配設されている。
【００２８】
また、前記台座９の各種操作部材の右側には、遊技を実行するに際してメダルの投入操作が行なえるメダル投入装置２０が組み込まれている。  
以下、図２を参照して、メダル投入装置２０の構成について説明する。
【００２９】
メダル投入装置２０は、前記筐体５の一部を構成する台座９のパネル９ａに組み込まれており、パネル９ａの表面と略面一となるように形成された露出プレート２１を備えている。この露出プレート２１には、その中央部分に凹所２１ａが形成されており、ここに遊技者によって載置されたメダルを案内する案内面２２ａを具備したメダルガイド部２２と、案内面２２ａに沿ってガイドされてくるメダルを筐体内部に落下させるスリット状の投入口２３が形成されている。この場合、案内面２２ａは、遊技者側から投入口２３に向けて下降するように形成されており、メダルを多数枚、起立させて設置できる程度の長さを備えている。また、案内面２２ａの傾斜角度については、メダルが円滑に滑るように水平面に対して傾斜していれば良く、その角度については特に限定されることはない。
【００３０】
前記パネル９ａの内部のフレームには、投入口２３に対応するようにしてメダル受け入れ開口（図示せず）が形成されており、ここから落下するメダルは、公知のセレクタ装置１００に案内されて所定のパラメータ（重量、径など）が測定され、真正と判断されたメダルは、例えば、メダル払出装置のバケットに案内され、そうでないものは、図１に示すメダル払出口１６を介してメダル受皿１７に返却される。
【００３１】
前記メダルガイド部２２の案内面２２ａは、メダルを載置させた際、メダルの直径よりも小さい部分の外周縁が２点で接触するような断面Ｕ字型に形成されている。すなわち、メダルを案内面２２ａに対して略垂直に起立させると、断面Ｕ字型の案内面２２ａの最深部とメダルの下端縁との間で隙間が生じるようになっていることから、メダルの保持状態は不安定となって、投入口２３に向けて滑り落ちて行く。
【００３２】
前記露出プレート２１の凹所２１ａの背面壁２１ｂには、回転ローラ４０の外周面が露出するように、矩形の開口２１ｃが形成されている。この回転ローラ４０は、前記傾斜する案内面２２ａに沿って滑り落ちてくるメダルを、投入口２３に向けて姿勢変化させる機能を有しており、連続的なメダルの投入処理を可能にしている。なお、回転ローラ４０は配置しない構成であっても良く、その場合、前記背面壁２１ｂは、開口２１ｃが形成されることはなく、そのまま投入口２３の後方で、投入口２３よりも上方に位置する壁部（背面壁）として構成される。この背面壁は、その部分に押し付けられたメダル、或いは、案内面２２ａに沿って滑り落ちてきて当接したメダルを、そのまま投入口２３に案内する。
【００３３】
また、露出プレート２１の凹所２１ａの手前部分には、所定枚数のメダルが載置できるように、略平坦状のメダル載置部２１ｄが形成されている。この場合、メダル載置部２１ｄは、遊技者の利便性を考慮して形成されたものであり、形成しなくても良い。
【００３４】
更に、露出プレート２１の凹所２１ａの右側には、メダル返却ボタン３０が設けられており、これを押圧操作することによって、投入したメダルを前記メダル受皿１７に返却できるように構成されている。
【００３５】
上記した回転ローラ４０は、コスト的に安価となるように、例えば、ウレタンゴムによって形成することが好ましい。また、メダルが接触した際、回転ローラ４０がより回転し易いように、表面に摩擦力を向上させる手段、例えば、ローレット４０ａを形成しておくことが好ましい。すなわち、回転ローラ４０が回転し易いほど、メダルが投入口２３に落下する際に妨げとなる摩擦力が軽減されるようになる。
【００３６】
また、上記したように、回転ローラ４０を設置する構成では、露出する回転ローラの周囲にカバー４２を設置しておくことが好ましい。このように回転ローラ４０の周囲にカバーを設置することで、効果的に開口から露出する回転ローラ４０の上下、左右の領域を覆うことができ、回転ローラの周囲の隙間部分から異物等を侵入させようとしても、筐体内部への侵入を防ぐことが可能になる。本実施形態のカバー４２は、粒状のガラスを混入したＰＡ系の樹脂によって形成されており、パネル９ａの内部のフレームに取着されて、前記露出プレート２１の凹所２１ａに形成された矩形の開口２１ｃから、回転ローラの外周面が部分的に露出するように構成されている。
【００３７】
上記したメダル投入装置２０は、少なくとも投入口２３がカバー体５０によって覆われるようになっている。このカバー体５０は、例えば、比較的硬度のあるプラスチック、或いは、変形が容易な繊維等の材料で構成されており、前記筐体５の一部を構成する台座９の背面壁９ｂに収容部９ｃを形成して、この内部に前後方向に沿ってスライド可能に支持されている。なお、カバー体５０は、図示されていない付勢機構により、収容部９ｃの内部（収容方向）に向けて付勢された状態に支持されており、通常は、付勢機構によって、外部に露出することなく、収容部９ｃ内に収容された状態になっている。そして、カバー体５０の前端面には、摘み操作可能な突起５１が設けられており、この突起を摘むことで、カバー体５０は、収納部９ｃから引き出し操作される。
【００３８】
また、カバー体５０の前端部には、前記メダル載置部２１ｄの手前側に形成された突部５５に係合される係止部（孔部）５２が形成されており、カバー体５０を収容部９ｃから引き出して、係止部５２を突部５５に係止することで、カバー体５０は、前記投入口２３上をカバーした状態で固定される。
【００３９】
この場合、カバー体５０は、投入口２３のみならず、投入口２３の周辺領域、具体的には、上記した凹所２１ａに形成されるメダルガイド部２２、メダル載置部２１ｄ、メダル返却ボタン３０、回転ローラ４０等、メダル投入装置２０を全て覆う大きさに形成されている（図３参照）。
【００４０】
上記した構成の遊技機１によれば、例えば、非遊技時に、カバー体５０を収容部９ｃから付勢機構の付勢力に抗して引き出し、係止部５２を突部５５に係止することで、前記投入口２３、及びその周辺領域を覆うことができる。これにより、遊技機を使用していない非遊技時において、投入口２３の内部へのゴミや異物等の侵入が防止されて、メダルセレクタ１００を汚損等することが防止される。
【００４１】
また、前記カバー体５０は、投入口２３の周辺領域を覆う大きさに形成されていることから、その周辺領域の汚損や異物の付着等が防止され、これにより、実際の使用時において、周辺領域に溜まった異物等がメダルに付着して、そのまま投入口２３の内部に侵入することを防止することができる。特に、本実施形態の構成では、カバー体５０を装着状態にすると、投入口２３やメダルセレクタ１００のみならず、上記した回転ローラ４０等も覆うように構成されているため、回転ローラ４０やその周囲に対するゴミ、異物等の付着が防止され、回転ローラの回転状態不良を防止することができる。
【００４２】
さらに、上記したカバー体５０は、収容部９ｃ内に収納可能であるため、例えば、非遊技時では、カバー体５０を外部に露出しないように収容しておくことで、遊技者に対して違和感等を与えることなく、通常の遊技機の外観とすることができる。
【００４３】
そして、実際に遊技を行なう際には、係止部５２と突部５５の係止を解除することで、カバー体５０は、前記付勢機構によって収容部９ｃ内に収容され、メダル投入装置２０が露出して、遊技可能状態（メダル投入可能状態）となる。
【００４４】
図４は、本発明の第２の実施形態を示す図であり、遊技機のメダル投入装置２０部分を拡大して示す図である。
【００４５】
この実施形態では、遊技機の筐体の投入口２３の近傍に、少なくとも投入口２３を覆うカバー体６０が着脱可能となるように着脱部を設けている。具体的に、この着脱部は、筐体部分である露出プレート２１の凹所２１ａの周囲４箇所に、カバー体６０が着脱できるように、嵌合穴６２によって構成されている。そして、この嵌合穴６２に、カバー体６０の本体６０Ａの裏面側に形成された固定手段である突起６１を嵌入することで、カバー体６０が固定されるようになっている。
【００４６】
このような構成の遊技機においても、上記した実施形態と同様、非遊技時において、作業者がカバー体６０を着脱部である嵌合穴６２に取り付けることで、カバー体６０のカバー部６０ａが投入口２３、及びこの周辺領域を覆うことができ、これにより、投入口内部へのゴミや異物等の侵入が防止されて、メダルセレクタ１００を汚損等することが防止される。また、上記した回転ローラ４０等も覆うため、回転ローラ４０やその周囲に対するゴミ、異物等の付着が防止され、回転ローラの回転状態不良を防止することができる。
【００４７】
なお、この実施形態におけるカバー体６０のカバー部６０ａは、上記した実施形態と同様、投入口２３の周辺領域を覆う大きさに形成されているが、投入口２３の部分のみを覆う構成であっても良い。また、着脱部は、上記した嵌合穴６２に限定されることはなく、遊技機筐体と別体のカバー体が着脱でき、かつ装着時にカバー体を固定状態にすることができるものであれば良く、突起や切欠部などによって構成しても良い。
【００４８】
図５は、図４に示すような遊技機に対して、着脱可能とされるカバー体の別の実施形態を示す図である。
【００４９】
上記した実施形態では、遊技機の筐体側に着脱部を形成しておき、この着脱部にカバー体の固定手段を係止させて、カバー体を固定状態としたが、遊技機側に着脱部を形成することなく、単に、カバー体側に固定手段を形成することで、カバー体を固定状態にすることも可能である。具体的には、図５に示すように、カバー体７０の本体７０Ａの裏面側に突出領域７１が形成されている。この突出領域７１の表面は、上記した傾斜する案内面２２ａ（凹んだ形状）に対応する形状に形成された係止部７１ａとして構成されており、単に、カバー体７０をメダル投入装置２０部分に載せるだけで、係止部７１ａが案内面２２ａと面接し、カバー体の表面であるカバー部７０ａが投入口２３、及びその周辺領域を覆った状態で位置決め、固定される。
【００５０】
このため、遊技機の筐体側に、特に着脱部を形成しておく必要はなく、また、単にカバー体を被せることでセットできるため、装着作業性の向上が図れるようになる。
【００５１】
なお、上記したカバー体７０については、遊技機の投入口部分の形状に対応して、様々な形態で実施することが可能である。図６は、カバー体が装着される遊技機（スロットマシン）の別の構成例を示す図である（図１に示すスロットマシンと同一の機能を果たす部分については同一の参照符号を付してある）。
【００５２】
この遊技機の筐体部分に設けられるメダル投入装置１２０は、図６及び図７に示すように、台座９の表面部分に突出するように設けられ、前方側から後方側に向けて次第に上昇傾斜する突起部１２１を備えている。突起部１２１の頂部領域には、前後方向に沿ってメダルを重ねて載置可能な、略半円形状の案内面１２２が形成されており、その案内面１２２の上端部には、スリット状の投入口１２３が形成されている。また、投入口１２３の背部は、表示領域７と所定の隙間をおいて背面壁１２５が突起部１２１と一体形成されており、メダルを多数枚重ねて案内面１２２に載置し、かつ背面壁１２５に押し付けることで、連続的なメダルの投入が可能となっている。また、案内面１２２の側方には、メダルの返却を可能にする返却ボタン１３０が設けられている。
【００５３】
図８から図１０は、上記したメダル投入装置１２０部分をカバーするカバー体の第１の実施形態を示す図であり、図８は装着した状態を示す図、図９は平面図、そして、図１０は図９のＡ−Ａ線に沿った断面図である。
【００５４】
この実施形態のカバー体８０は、前記突起部１２１全体を覆って被せることができるように、プラスチック等によって一体形成されており、その本体８０Ａの外形状は、突起部１２１の表面形状と略同一に形成されている。そして、本体８０Ａの裏面側は、固定手段を構成すべく、突起部１２１を覆うように凹状にくり抜かれており、その前面壁８１及び後面壁８２が、突起部１２１の前面１２７及び後面１２８に対向するようになっている。また、本体８０Ａには、前記返却ボタン１３０が挿通できるように係止孔８５が形成されている。
【００５５】
このような構成において、カバー体８０を突起部１２１に装着すると、その上面であるカバー部８０ａが投入口１２３及びその周辺領域を覆うようになり、上述した実施形態と同様、非遊技時において、投入口内部へのゴミや異物等の侵入が防止されて、メダルセレクタを汚損等することが防止される。
【００５６】
また、カバー体８０の前面壁８１及び後面壁８２が、それぞれ突起部１２１の前面１２７及び後面１２８に対向することで、カバー体の位置決め、固定が成され、更には、係止孔８５を返却ボタン１３０に挿通させることで、カバー体８０の固定状態をより安定化させることができる。
【００５７】
図１１から図１３は、上記したメダル投入装置１２０部分をカバーするカバー体の第２の実施形態を示す図であり、図１１は斜視図、図１２は装着状態を示す斜視図、そして、図１３は図１２のＢ−Ｂ線に沿った断面図である。
【００５８】
この実施形態のカバー体９０の本体９０Ａは、上記したメダル投入装置の投入口１２３、及び案内面１２２の長手方向の略全てを覆うカバー部９０ａと、本体９０Ａの裏面側に突出形成された固定手段としての差込み片９２とを有している。
【００５９】
このようなカバー体９０は、前記差込み片９２を投入口１２３に差し込むことで、安定した状態で装着、固定され、カバー部９０ａが投入口１２３、及び案内面１２２を覆うようになる。
【００６０】
このような構成においても、上述した実施形態と同様、非遊技時において、投入口内部へのゴミや異物等の侵入が防止されて、メダルセレクタを汚損等することが防止される。また、本実施形態の構成では、カバー体９０は、単に差込み片９２を投入口１２３に差し込むだけの構成であるため、各種の遊技機のメダル投入装置部分に適用することが可能となり、汎用性が広がる。
【００６１】
図１４及び図１５は、上記したメダル投入装置１２０部分をカバーするカバー体の第３の実施形態を示す図であり、図１４は斜視図、図１５は装着状態を示す斜視図である。
【００６２】
この実施形態のカバー体１００は、変形可能な材料（例えば、繊維、軟質ゴム等）を略矩形のシート状にすることで構成されており、その本体１００Ａは、上記したメダル投入装置の投入口１２３、及び案内面１２２の長手方向の略全てを覆うカバー部１００ａと、このカバー部１００ａの一側部に形成された固定手段としての挿通孔１０２とを有している。
【００６３】
このようなカバー体１００は、前挿通孔１０２をメダル返却ボタン１３０に挿通することで、安定した状態で装着、固定され、カバー部１００ａが案内面１２２の形状に沿うように変形し、投入口１２３及び案内面１２２を覆うようになる。
【００６４】
このような構成においても、上述した実施形態と同様、非遊技時において、投入口内部へのゴミや異物等の侵入が防止されて、メダルセレクタを汚損等することが防止される。また、本実施形態の構成においても、カバー体１００は、単に挿通孔１０２を返却ボタン１３０に挿通させるだけの構成であるため、各種の遊技機のメダル投入装置部分に適用することが可能となり、汎用性が広がる。
【００６５】
以上、本発明の実施形態について説明したが、本発明は、上記した実施形態に限定されることはなく、種々変形することが可能である。
【００６６】
上述した構成において、遊技機の筐体にカバー体を設ける構成の場合、筐体に対して、例えば、カバー体を回動可能に支持して投入口を覆うように構成しても良い。また、カバー体に設けられる固定手段は、カバー体を遊技機の投入口領域に装着した場合、その位置が安定して、固定されるよう構成されたものであれば良い。このため、投入口領域に、カバー体を固定するための専用の着脱部材を設けても良いし、投入口領域の形状に併せてカバー体の形状を適宜変形すれば良い。
【産業上の利用可能性】
【００６７】
本発明は、上述したスロットマシンのような遊技機以外にも、コインやメダルが投入される各種の装置、例えば、自動販売機や、切符など各種の券を発券する発券装置等に適用することが可能である。
【図面の簡単な説明】
【００６８】
【図１】本発明に係る遊技機の一実施形態（スロットマシン）を示す図。
【図２】図１に示すメダル投入装置の部分を拡大して示す図。
【図３】カバー体で投入口部分を覆った状態を示す図。
【図４】本発明の第２の実施形態を示す図であり、遊技機のメダル投入装置部分を拡大して示す図。
【図５】図４に示すような遊技機に対して、着脱可能とされるカバー体の別の実施形態を示す図。
【図６】カバー体が装着される遊技機（スロットマシン）の別の構成例を示す図。
【図７】図６に示すメダル投入装置の部分を拡大して示す図。
【図８】図６に示す遊技機のメダル投入装置部分をカバーするカバー体の第１の実施形態を示す図。
【図９】図８に示すカバー体の平面図。
【図１０】図９のＡ−Ａ線に沿った断面図。
【図１１】カバー体の第２の実施形態を示す斜視図。
【図１２】カバー体の装着状態を示す斜視図。
【図１３】図１２のＢ−Ｂ線に沿った断面図。
【図１４】カバー体の第３の実施形態を示す斜視図。
【図１５】装着状態を示す斜視図。
【符号の説明】
【００６９】
１  スロットマシン（遊技機）
２０，１２０  メダル投入装置（遊技媒体投入装置）
２２ａ，１２２  案内面
２３，１２３  投入口
３０，１３０  返却ボタン
５０，６０，７０，８０，９０，１００  カバー体
６１  突起
６２  嵌合穴
【図１】
2007222377.tif 000003
【図２】
2007222377.tif 000004
【図３】
2007222377.tif 000005
【図４】
2007222377.tif 000006
【図５】
2007222377.tif 000007
【図６】
2007222377.tif 000008
【図７】
2007222377.tif 000009
【図８】
2007222377.tif 000010
【図９】
2007222377.tif 000011
【図１０】
2007222377.tif 000012
【図１１】
2007222377.tif 000013
【図１２】
2007222377.tif 000014
【図１３】
2007222377.tif 000015
【図１４】
2007222377.tif 000016
【図１５】
2007222377.tif 000017